(57)【要約】【課題】遮断棒の折損が発生してから、保安所の係員が遮断棒の折損を認識するまでの時間を短縮することができる遮断棒折損通報システムおよび遮断棒折損通報方法を得る。【解決手段】遮断機１０の遮断棒１が折損したことを、保安所２０に通報する遮断棒折損通報システムであって、遮断機１０は、遮断棒１の状態を監視し、遮断棒１の折損を検出した場合に、障害情報信号を出力する監視部１１と、障害情報信号を、電磁波として保安所に向けて送信する送信部１２と、を備え、保安所２０は、送信部１２から電磁波として送信された障害情報信号を受信する受信部２１と、障害情報信号に応じて警報を発する警報部２３と、を備え、送信部１２と受信部２１とは、アドホックネットワーク３０を用いた無線通信により障害情報信号を送受信する。【選択図】図１
2013006467.tif 000002
【特許請求の範囲】
【請求項１】
遮断機の遮断棒が折損したことを、保安所に通報する遮断棒折損通報システムであって、
前記遮断機は、
前記遮断棒の状態を監視し、前記遮断棒の折損を検出した場合に、障害情報信号を出力する監視部と、
前記障害情報信号を、電磁波として前記保安所に向けて送信する送信部と、を備え、
前記保安所は、
前記送信部から電磁波として送信された前記障害情報信号を受信する受信部と、
前記障害情報信号に応じて警報を発する警報部と、を備え、
前記送信部と前記受信部とは、アドホックネットワークを用いた無線通信により前記障害情報信号を送受信する
ことを特徴とする遮断棒折損通報システム。
【請求項２】
前記監視部は、
前記遮断棒と同等以下の硬さを有し、前記遮断棒の外周に沿って設けられた導体と、
前記導体を覆って取り付けられた導体保護カバーと、
前記導体に電流を流すとともに、その電流を監視し、電流を検知できない場合に前記遮断棒の折損を検出する電流検知部と、
を有することを特徴とする請求項１に記載の遮断棒折損通報システム。
【請求項３】
前記監視部は、
前記遮断棒と同等以下の硬さを有し、前記遮断棒の外周に沿って設けられた管と、
前記管を覆って取り付けられた管保護カバーと、
前記管に圧力をかけるとともに、その圧力を監視し、圧力を検知できない場合に前記遮断棒の折損を検出する圧力検知部と、
を有することを特徴とする請求項１に記載の遮断棒折損通報システム。
【請求項４】
前記監視部は、
前記遮断棒と同等以下の硬さを有し、前記遮断棒の外周に沿って設けられた管と、
前記管を覆って取り付けられた管保護カバーと、
前記管に音を出力するとともに、その音を監視し、音を検知できない場合に前記遮断棒の折損を検出する音検知部と、
を有することを特徴とする請求項１に記載の遮断棒折損通報システム。
【請求項５】
遮断機の遮断棒が折損したことを、保安所に通報する遮断棒折損通報方法であって、
前記遮断棒の状態を監視し、前記遮断棒の折損を検出した場合に、障害情報信号を出力する監視ステップと、
前記障害情報信号を、電磁波として前記保安所に向けて、アドホックネットワークを用いた無線通信により送信する送信ステップと、
前記送信ステップで電磁波として送信された前記障害情報信号を、アドホックネットワークを用いた無線通信により受信する受信ステップと、
前記障害情報信号に応じて警報を発する警報ステップと、
を備えたことを特徴とする遮断棒折損通報方法。
【発明の詳細な説明】
【技術分野】
【０００１】
この発明は、遮断機の遮断棒が何らかの事故や災害等により折損した場合に、保安所に遮断棒の折損を通報する遮断棒折損通報システムおよび遮断棒折損通報方法に関する。
【背景技術】
【０００２】
以前から、遮断機の遮断棒が折損する事故が発生しており、列車の徐行運転によってダイヤが乱れ、大多数の乗客に影響を及ぼしている。また、列車乗務員が、遮断棒の折損した状態を知らないまま列車を運行すると、人身事故につながる恐れがある。
【０００３】
なお、近年では、遮断棒折損の復旧作業は、最寄りの保安所の係員が仮修復キットを用いて遮断棒を修復することにより、従来よりも時間短縮されている。しかしながら、係員が遮断棒の折損を認識するのは、遮断棒の折損に気付いた人が保安所に通報するタイミングとなるので、係員が折損を認識するまでに時間がかかるという問題があった。
【０００４】
そこで、上記の問題を解決するために、遮断棒の一方端に設けられて２個の接点搭載片を有するスイッチと、接点搭載片間に挟まれて正常状態を保持する保持部材と、一端および他端がそれぞれ保持部材および遮断棒の他方端に接続され、衝撃により保持部材をスイッチの２個の接点搭載片間から外すように引っ張る線材とを備え、遮断棒が折られたことを管理者（係員）に伝える遮断棒折れ検出装置が提案されている（例えば、特許文献１参照）。
【先行技術文献】
【特許文献】
【０００５】
【特許文献１】特開２００１−１９１９２４号公報
【発明の概要】
【発明が解決しようとする課題】
【０００６】
しかしながら、従来技術には、以下のような課題がある。
特許文献１に示された遮断棒折れ検出装置では、遮断棒が折られると、線材が引っ張られ、保持部材が接点搭載片から外れて、接点同士が接触することにより、警報回路に電流が流れて警報が出力される。ところが、特許文献１には、警報回路に電流が流れて警報が出力される具体的な構成が何等開示されていないという問題がある。
【０００７】
この発明は、上記のような課題を解決するためになされたものであり、遮断棒の折損が発生してから、保安所の係員が遮断棒の折損を認識するまでの時間を短縮することができる遮断棒折損通報システムおよび遮断棒折損通報方法を得ることを目的とする。
【課題を解決するための手段】
【０００８】
この発明に係る遮断棒折損通報システムは、遮断機の遮断棒が折損したことを、保安所に通報する遮断棒折損通報システムであって、遮断機は、遮断棒の状態を監視し、遮断棒の折損を検出した場合に、障害情報信号を出力する監視部と、障害情報信号を、電磁波として保安所に向けて送信する送信部と、を備え、保安所は、送信部から電磁波として送信された障害情報信号を受信する受信部と、障害情報信号に応じて警報を発する警報部と、を備え、送信部と受信部とは、アドホックネットワークを用いた無線通信により障害情報信号を送受信するものである。
【０００９】
また、この発明に係る遮断棒折損通報方法は、遮断機の遮断棒が折損したことを、保安所に通報する遮断棒折損通報方法であって、遮断棒の状態を監視し、遮断棒の折損を検出した場合に、障害情報信号を出力する監視ステップと、障害情報信号を、電磁波として保安所に向けて、アドホックネットワークを用いた無線通信により送信する送信ステップと、送信ステップで電磁波として送信された障害情報信号を、アドホックネットワークを用いた無線通信により受信する受信ステップと、障害情報信号に応じて警報を発する警報ステップと、を備えたものである。
【発明の効果】
【００１０】
この発明に係る遮断棒折損通報システムおよび遮断棒折損通報方法によれば、遮断棒の折損を検出した監視部（ステップ）が出力する障害情報信号を電磁波として送信する送信部（ステップ）と、送信部から電磁波として送信された障害情報信号を受信する受信部（ステップ）とは、アドホックネットワークを用いた無線通信により障害情報信号を送受信している。
そのため、遮断棒の折損が発生してから、保安所の係員が遮断棒の折損を認識するまでの時間を短縮することができる。
【図面の簡単な説明】
【００１１】
【図１】（ａ）、（ｂ）は、この発明の実施の形態１に係る遮断棒折損通報システムを示すブロック構成図である。
【図２】図１に示した監視部を詳細に示す構成図である。
【図３】（ａ）、（ｂ）は、この発明の実施の形態２に係る遮断棒折損通報システムを示すブロック構成図である。
【図４】図３に示した監視部を詳細に示す構成図である。
【図５】（ａ）、（ｂ）は、この発明の実施の形態３に係る遮断棒折損通報システムを示すブロック構成図である。
【図６】図５に示した監視部を詳細に示す構成図である。
【発明を実施するための形態】
【００１２】
以下、この発明に係る遮断棒折損通報システムの好適な実施の形態につき図面を用いて説明するが、各図において同一、または相当する部分については、同一符号を付して説明する。なお、この遮断棒折損通報システムは、遮断機の遮断棒が折損したことを、例えば最寄りの保安所に通報するものである。
【００１３】
実施の形態１．
図１は、この発明の実施の形態１に係る遮断棒折損通報システムを示すブロック構成図であり、図１（ａ）は、遮断棒折損通報システムの遮断機１０側（遮断機１０およびアドホックネットワーク３０）の構成を示し、図１（ｂ）は、遮断棒折損通報システムの保安所２０側（保安所２０およびアドホックネットワーク３０）の構成を示している。
【００１４】
図１（ａ）、（ｂ）において、遮断機１０は、監視部１１および送信部１２を備えている。保安所２０は、受信部２１、信号変換部２２および表示・警報器（警報部）２３を備えている。また、アドホックネットワーク３０は、第１通信機３１、第２通信機３２および第ｎ通信機３３を備えている。
【００１５】
ここで、送信部１２と受信部２１とは、アドホックネットワーク３０を用いた無線通信（バケツリレー方式）により障害情報信号（後述する）を送受信する。また、監視部１１と表示・警報器２３との間で、正常動作をしているかポーリングを行う。
【００１６】
監視部１１は、遮断棒１の状態を常時監視し、遮断棒１の折損を検出した場合に、障害情報信号を出力する。以下、図２を参照しながら、監視部１１の構成について詳細に説明する。図２において、監視部１１は、導体１１１、導体保護カバー１１２および電流検知部１１３を有している。
【００１７】
導体１１１は、遮断棒１と同等以下の硬さを有し、遮断棒１の外周に沿って設けられている。導体保護カバー１１２は、導体１１１を覆って取り付けられている。また、電流検知部１１３は、導体１１１に電流を流すとともに、その電流を監視し、電流を検知できない場合に遮断棒１の折損を検出する。
【００１８】
図１に戻って、送信部１２は、監視部１１からの障害情報信号を変調し、電磁波としてアドホックネットワーク３０内の最寄りの第１通信機３１に送信する。第１通信機３１は、電磁波として送信された障害情報信号を受信し、バケツリレー方式で、次の第２通信機３２に送信する。第２通信機３２は、電磁波として送信された障害情報信号を受信し、バケツリレー方式で、次の通信機（図示せず）に送信する。
【００１９】
続いて、前の通信機から電磁波として送信された障害情報信号を受信した第ｎ通信機３３は、保安所２０の受信部２１に、障害情報信号を電磁波として送信する。受信部２１は、電磁波として送信された障害情報信号を受信して復調し、障害情報信号を信号変換部２２に出力する。
【００２０】
信号変換部２２は、受信部２１からの障害情報信号を表示・警報器２３インタフェース用の信号に変換し、表示・警報器２３に出力する。表示・警報器２３は、信号変換部２２からの障害情報信号に応じて、障害表示および鳴動音を発し、保安所２０の係員に遮断棒１の折損を通報する。
【００２１】
これにより、遮断棒１が折損した場合であっても、それに気付いた人が通報する必要がなく、迅速に遮断棒１の折損を検出して最寄りの保安所２０の係員に知らせることができる。また、それに伴って、列車の遅延時間を短縮することができる。
また、この遮断棒折損通報システム内の無線区間は、アドホックネットワークを利用しているので、大きな設備投資をすることなく、少ない電力で運用が可能である。
【００２２】
以上のように、実施の形態１によれば、遮断棒の折損を検出した監視部が出力する障害情報信号を電磁波として送信する送信部と、送信部から電磁波として送信された障害情報信号を受信する受信部とは、アドホックネットワークを用いた無線通信により障害情報信号を送受信している。
そのため、遮断棒の折損が発生してから、保安所の係員が遮断棒の折損を認識するまでの時間を短縮することができる。
【００２３】
実施の形態２．
図３は、この発明の実施の形態２に係る遮断棒折損通報システムを示すブロック構成図であり、図３（ａ）は、遮断棒折損通報システムの遮断機１０Ａ側の構成を示し、図３（ｂ）は、遮断棒折損通報システムの保安所２０側の構成を示している。
【００２４】
図３において、遮断機１０Ａは、図１に示した監視部１１に代えて、監視部１１Ａを備えている。監視部１１Ａは、遮断棒１の状態を常時監視し、遮断棒１の折損を検出した場合に、障害情報信号を出力する。以下、図４を参照しながら、監視部１１Ａの構成について詳細に説明する。図４において、監視部１１Ａは、管１１４、管保護カバー１１５および圧力検知部１１６を有している。
【００２５】
管１１４は、遮断棒１と同等以下の硬さを有し、遮断棒１の外周に沿って設けられている。管保護カバー１１５は、管１１４を覆って取り付けられている。また、圧力検知部１１６は、管１１４に圧力をかけるとともに、その圧力を監視し、圧力を検知できない場合に遮断棒１の折損を検出する。なお、その他の構成は、上述した実施の形態１と同様なので、説明を省略する。
【００２６】
以上のように、実施の形態２によれば、上記実施の形態１と同様の効果を得ることができる。
【００２７】
実施の形態３．
図５は、この発明の実施の形態３に係る遮断棒折損通報システムを示すブロック構成図であり、図５（ａ）は、遮断棒折損通報システムの遮断機１０Ｂ側の構成を示し、図５（ｂ）は、遮断棒折損通報システムの保安所２０側の構成を示している。
【００２８】
図５において、遮断機１０Ｂは、図１に示した監視部１１に代えて、監視部１１Ｂを備えている。監視部１１Ｂは、遮断棒１の状態を常時監視し、遮断棒１の折損を検出した場合に、障害情報信号を出力する。以下、図６を参照しながら、監視部１１Ｂの構成について詳細に説明する。図６において、監視部１１Ｂは、管１１４、管保護カバー１１５および音検知部１１７を有している。
【００２９】
管１１４は、遮断棒１と同等以下の硬さを有し、遮断棒１の外周に沿って設けられている。管保護カバー１１５は、管１１４を覆って取り付けられている。また、音検知部１１７は、管１１４に音を出力するとともに、その音を監視し、音を検知できない場合に遮断棒１の折損を検出する。なお、その他の構成は、上述した実施の形態１と同様なので、説明を省略する。
【００３０】
以上のように、実施の形態３によれば、上記実施の形態１と同様の効果を得ることができる。
【符号の説明】
【００３１】
１  遮断棒、１０、１０Ａ、１０Ｂ  遮断機、１１、１１Ａ、１１Ｂ  監視部、１２  送信部、２０  保安所、２１  受信部、２２  信号変換部、２３  表示・警報器（警報部）、３０  アドホックネットワーク、３１  第１通信機、３２  第２通信機、３３  第ｎ通信機、１１１  導体、１１２  導体保護カバー、１１３  電流検知部、１１４  管、１１５  管保護カバー、１１６  圧力検知部、１１７  音検知部。
【図１】
2013006467.tif 000003
【図２】
2013006467.tif 000004
【図３】
2013006467.tif 000005
【図４】
2013006467.tif 000006
【図５】
2013006467.tif 000007
【図６】
2013006467.tif 000008